(57)【特許請求の範囲】
【請求項１】
所定の記憶媒体に対応付けられて遊技台での遊技に用いられる遊技媒体に変換可能な有価価値を景品に交換する処理を行う景品管理装置を有する景品交換システムであって、
前記景品管理装置は、
受け付けた記憶媒体から取得した情報に基づいて前記有価価値を特定する有価価値特定手段と、
前記有価価値特定手段にて特定した有価価値を用いて景品交換処理を行う景品交換処理手段と、
所定の有価価値分割操作を受け付ける分割操作受付手段と、
前記分割操作受付手段により前記有価価値分割操作を受け付けた後に記憶媒体を受け付けて受け付けた記憶媒体を分割元記憶媒体として特定する分割元記憶媒体特定手段と、
前記分割元記憶媒体に対応付けられた有価価値のうち分割先記憶媒体に対して分割する有価価値の分割数を受け付ける分割数受付手段と、
前記分割数受付手段にて分割数を受け付けた後に記憶媒体を受け付けて受け付けた記憶媒体を分割先記憶媒体として特定する分割先記憶媒体特定手段と、
前記分割数受付手段により受け付けた分割数を前記分割元記憶媒体特定手段にて特定された分割元記憶媒体に対応付けられた有価価値から減算処理するとともに、前記分割数受付手段により受け付けた分割数を前記分割先記憶媒体特定手段にて特定された分割先記憶媒体に対応付けられた有価価値に対して加算処理して、前記分割元記憶媒体に対応付けられた有価価値の分割処理を行う分割処理手段と
を備えたことを特徴とする景品交換システム。
【請求項２】
前記分割元記憶媒体及び前記分割先記憶媒体は、遊技店に会員登録された会員に対して発行された会員用記憶媒体、一般用記憶媒体又はワゴンサービスを提供する際に利用されるサービス用記憶媒体のいずれかであることを特徴とする請求項１に記載の景品交換システム。
【請求項３】
景品管理装置を操作する操作者である店員向けの店側表示手段と、
前記分割数受付手段により受け付けられる分割数の入力画面を前記店側表示手段に表示制御する表示制御手段と
をさらに備えたことを特徴とする請求項１又は２に記載の景品交換システム。
【請求項４】
景品交換を行う遊技客向けの客側表示手段と、
会員用記憶媒体の暗証番号入力を行う入力手段と、
前記入力手段により入力された暗証番号に基づいて前記会員用記憶媒体の正当性を検証依頼処理する正当性検証依頼処理手段と、
前記会員用記憶媒体を前記分割元記憶媒体又は前記分割先記憶媒体として用いる場合の暗証番号入力画面を前記客側表示手段に表示制御する第２の表示制御手段と
をさらに備えたことを特徴とする請求項３に記載の景品交換システム。
【請求項５】
景品管理装置を操作する操作者の識別情報に、少なくとも前記分割処理手段による分割処理の対象となる分割元記憶媒体の識別情報及び分割先記憶媒体の識別情報を対応付けた分割履歴情報を管理する分割履歴情報管理手段をさらに備えたことを特徴とする請求項１〜４のいずれか一つに記載の景品交換システム。
【請求項６】
景品管理装置を操作する操作者ごとに前記有価価値の分割数の上限値を管理する上限値管理手段をさらに備え、前記分割数受付手段は、操作者により入力された分割数が前記上限値管理手段により管理された当該操作者に対応する分割数の上限値以下である場合に、入力された有価価値の分割数を受け付けることを特徴とする請求項１〜５のいずれか一つに記載の景品交換システム。
【請求項７】
前記分割処理手段は、遊技店内に配設された遊技機が複数のグループに区分され、同一グループに属する遊技機間でのみ台移動が許容され、前記分割元記憶媒体に対応付けられた有価価値の分割処理を行う場合に、前記分割元記憶媒体に対応付けられた有価価値と同一の利用可能グループを前記分割先記憶媒体に設定することを特徴とする請求項１〜６のいずれか一つに記載の景品交換システム。
【請求項８】
前記分割処理手段は、遊技店内に配設された遊技台の台移動が禁止されている場合には、前記分割元記憶媒体に対応付けられた有価価値の分割処理を行わないことを特徴とする請求項１〜７のいずれか一つに記載の景品交換システム。
【請求項９】
前記分割処理手段は、前記分割元記憶媒体が前記サービス用記憶媒体である場合には、前記分割元記憶媒体に対応付けられた有価価値の分割処理を許容することを特徴とする請求項７又は８に記載の景品交換システム。
【請求項１０】
前記分割処理手段による分割処理結果を前記分割元記憶媒体又は前記分割先記憶媒体に対応付けられない場合には、前記分割処理結果を印字したレシートを発行するレシート発行手段をさらに備えたことを特徴とする請求項１〜９のいずれか一つに記載の景品交換システム。
【請求項１１】
所定の記憶媒体に対応付けられて遊技台での遊技に用いられる遊技媒体に変換可能な有価価値を景品に交換する処理を行う景品管理装置を有する景品交換システムであって、
前記景品管理装置は、
受け付けた記憶媒体から取得した情報に基づいて前記有価価値を特定する有価価値特定手段と、
前記有価価値特定手段にて特定した有価価値を用いて景品交換処理を行う景品交換処理手段と、
所定の有価価値分割操作を受け付ける分割操作受付手段と、
前記分割操作受付手段により前記有価価値分割操作を受け付けた後に記憶媒体を受け付けて受け付けた記憶媒体を分割元記憶媒体として特定する分割元記憶媒体特定手段と、
前記分割元記憶媒体に対応付けられた有価価値のうち分割処理後に分割元記憶媒体に残す有価価値の残数を受け付ける残数受付手段と、
前記残数受付手段にて残数を受け付けた後に記憶媒体を受け付けて受け付けた記憶媒体を分割先記憶媒体として特定する分割先記憶媒体特定手段と、
前記分割元記憶媒体に対応付けられた有価価値から前記残数受付手段により受け付けた残数を減算処理した値を前記分割先記憶媒体特定手段にて特定された分割先記憶媒体に対応付けられた有価価値に対して加算処理するとともに、前記分割元記憶媒体特定手段にて特定された分割元記憶媒体に対して前記残数受付手段により受け付けた残数を対応付けて、前記分割元記憶媒体に対応付けられた有価価値の分割処理を行う分割処理手段と
を備えたことを特徴とする景品交換システム。
【発明の詳細な説明】
【技術分野】
【０００１】
この発明は、所定の記憶媒体に対応付けられた有価価値を景品に交換する処理を行う景品交換システムに関し、特に、記憶媒体に対応付けられた持玉、貸玉、貯玉、プリペイド価値等の有価価値を分割処理する場合に、種別の異なる各種記憶媒体に対応付けられた有価価値を効率良く分割処理することができる景品交換システムに関する。
【背景技術】
【０００２】
従来、パチンコ店などの遊技店には、パチンコ玉等の遊技媒体を貸し出す台間カード処理機が遊技機に併設される事が多い。遊技客は、この台間カード処理機に現金を投入することで、遊技媒体の貸し出しを受けることができるとともに、この台間カード処理機で貯遊技媒体の引出操作を行うことで、再プレイを行うことができる。
【０００３】
最近では、かかる台間カード処理機に対して遊技媒体数を計数する計数部を設け、この台間カード処理機の計数部で計数した遊技媒体数を持玉数としてカードＩＤに対応づけて台間カード処理機並びにカード管理装置で管理するとともに、遊技客が台間カード処理機で持玉払出操作を行うことで、かかる持玉数を所定数ずつ払い出す各台計数機付き台間カード処理機が普及しつつある（例えば、特許文献１参照）。
【０００４】
この種の各台計数機付き台間カード処理機を用いる場合に、かかる台間カード処理機上で遊技客により持玉分割操作がなされた際に、あらかじめ装置内部に収納された一般カードに対して持玉数の一部を対応付け、これを分割先カードとして発行することで、一人の遊技客が獲得した持玉数を複数人で共有する技術が知られている（例えば、特許文献２参照）。
【先行技術文献】
【特許文献】
【０００５】
【特許文献１】特開２００７−２２９１１１号公報
【特許文献２】特開２０１０−１１９７５６号公報
【発明の概要】
【発明が解決しようとする課題】
【０００６】
しかしながら、上記特許文献２のものは、あらかじめ台間カード処理機のカード収納部に収納され、持玉数等が対応付けられていない空の一般カードのみしか分割先カードとすることができない。台間カード処理機の表示操作部は、通常７セグメントのＬＥＤや小型液晶で形成されている関係上、様々なパターンの持玉分割の操作を誘導することが難しいためである。
【０００７】
このため、上記特許文献２を用いた場合には、会員カードに対応付けられた持玉数の一部を他の会員カードに分割処理することができず、それぞれ会員カードを所持する会員間の持玉共有を行えないと言う問題がある。
【０００８】
また、遊技店では、遊技中の遊技客に対して飲物等のワゴンサービスを提供することが多い。かかるワゴンサービスの提供を受ける遊技客が、ワゴンサービスの対価を持玉数を用いて支払う場合には、店員がワゴンカードを台間カード処理機に挿入し、サービスの対価に相当する持玉数を手入力して、遊技客が保有する持玉の一部（対価分）をワゴンカードに移すことになる。ここで、店員が手入力した持玉数が、ワゴンサービスに必要な持玉数を超える場合には、ワゴンカードの持玉数を分割して遊技客に返却することが望まれるが、上記特許文献２では、ワゴンカードに対応付けられた持玉数を分割処理することができないと言う問題もある。
【０００９】
以上のことから、種別の異なる各種カードに対応付けられた持玉数をいかに効率良く分割処理するかが重要な課題となっている。かかる課題は、持玉数を対象とする場合だけではなく、貸玉、貯玉、プリペイド価値等の他の有価価値を共有する場合にも同様に生ずる課題である。
【００１０】
本発明は、上述した従来技術による問題点を解消するためになされたものであって、記憶媒体に対応付けられた持玉、貸玉、貯玉、プリペイド価値等の有価価値を分割処理する場合に、種別の異なる各種記憶媒体に対応付けられた有価価値を効率良く分割処理することができる景品交換システムを提供することを目的とする。
【課題を解決するための手段】
【００１１】
上述した課題を解決し、目的を達成するため、本発明は、所定の記憶媒体に対応付けられて遊技台での遊技に用いられる遊技媒体に変換可能な有価価値を景品に交換する処理を行う景品管理装置を有する景品交換システムであって、前記景品管理装置は、受け付けた記憶媒体から取得した情報に基づいて前記有価価値を特定する有価価値特定手段と、前記有価価値特定手段にて特定した有価価値を用いて景品交換処理を行う景品交換処理手段と、所定の有価価値分割操作を受け付ける分割操作受付手段と、前記分割操作受付手段により前記有価価値分割操作を受け付けた後に記憶媒体を受け付けて受け付けた記憶媒体を分割元記憶媒体として特定する分割元記憶媒体特定手段と、前記分割元記憶媒体に対応付けられた有価価値のうち分割先記憶媒体に対して分割する有価価値の分割数を受け付ける分割数受付手段と、前記分割数受付手段にて分割数を受け付けた後に記憶媒体を受け付けて受け付けた記憶媒体を分割先記憶媒体として特定する分割先記憶媒体特定手段と、前記分割数受付手段により受け付けた分割数を前記分割元記憶媒体特定手段にて特定された分割元記憶媒体に対応付けられた有価価値から減算処理するとともに、前記分割数受付手段により受け付けた分割数を前記分割先記憶媒体特定手段にて特定された分割先記憶媒体に対応付けられた有価価値に対して加算処理して、前記分割元記憶媒体に対応付けられた有価価値の分割処理を行う分割処理手段とを備えたことを特徴とする。
【００１２】
また、本発明は、上記の発明において、前記分割元記憶媒体及び前記分割先記憶媒体は、遊技店に会員登録された会員に対して発行された会員用記憶媒体、一般用記憶媒体又はワゴンサービスを提供する際に利用されるサービス用記憶媒体のいずれかであることを特徴とする。
【００１３】
また、本発明は、上記の発明において、景品管理装置を操作する操作者である店員向けの店側表示手段と、前記分割数受付手段により受け付けられる分割数の入力画面を前記店側表示手段に表示制御する表示制御手段とをさらに備えたことを特徴とする。
【００１４】
また、本発明は、上記の発明において、景品交換を行う遊技客向けの客側表示手段と、会員用記憶媒体の暗証番号入力を行う入力手段と、前記入力手段により入力された暗証番号に基づいて前記会員用記憶媒体の正当性を検証依頼処理する正当性検証依頼処理手段と、前記会員用記憶媒体を前記分割元記憶媒体又は前記分割先記憶媒体として用いる場合の暗証番号入力画面を前記客側表示手段に表示制御する第２の表示制御手段とをさらに備えたことを特徴とする。
【００１５】
また、本発明は、上記の発明において、景品管理装置を操作する操作者の識別情報に、少なくとも前記分割処理手段による分割処理の対象となる分割元記憶媒体の識別情報及び分割先記憶媒体の識別情報を対応付けた分割履歴情報を管理する分割履歴情報管理手段をさらに備えたことを特徴とする。
【００１６】
また、本発明は、上記の発明において、景品管理装置を操作する操作者ごとに前記有価価値の分割数の上限値を管理する上限値管理手段をさらに備え、前記分割数受付手段は、操作者により入力された分割数が前記上限値管理手段により管理された当該操作者に対応する分割数の上限値以下である場合に、入力された有価価値の分割数を受け付けることを特徴とする。
【００１７】
また、本発明は、上記の発明において、前記分割処理手段は、遊技店内に配設された遊技機が複数のグループに区分され、同一グループに属する遊技機間でのみ台移動が許容され、前記分割元記憶媒体に対応付けられた有価価値の分割処理を行う場合に、前記分割元記憶媒体に対応付けられた有価価値と同一の利用可能グループを前記分割先記憶媒体に設定することを特徴とする。
【００１８】
また、本発明は、上記の発明において、前記分割処理手段は、遊技店内に配設された遊技台の台移動が禁止されている場合には、前記分割元記憶媒体に対応付けられた有価価値の分割処理を行わないことを特徴とする。
【００１９】
また、本発明は、上記の発明において、前記分割処理手段は、前記分割元記憶媒体が前記サービス用記憶媒体である場合には、前記分割元記憶媒体に対応付けられた有価価値の分割処理を許容することを特徴とする。
【００２０】
また、本発明は、上記の発明において、前記分割処理手段による分割処理結果を前記分割元記憶媒体又は前記分割先記憶媒体に対応付けられない場合には、前記分割処理結果を印字したレシートを発行するレシート発行手段をさらに備えたことを特徴とする。
【００２１】
また、本発明は、所定の記憶媒体に対応付けられて遊技台での遊技に用いられる遊技媒体に変換可能な有価価値を景品に交換する処理を行う景品管理装置を有する景品交換システムであって、前記景品管理装置は、受け付けた記憶媒体から取得した情報に基づいて前記有価価値を特定する有価価値特定手段と、前記有価価値特定手段にて特定した有価価値を用いて景品交換処理を行う景品交換処理手段と、所定の有価価値分割操作を受け付ける分割操作受付手段と、前記分割操作受付手段により前記有価価値分割操作を受け付けた後に記憶媒体を受け付けて受け付けた記憶媒体を分割元記憶媒体として特定する分割元記憶媒体特定手段と、前記分割元記憶媒体に対応付けられた有価価値のうち分割処理後に分割元記憶媒体に残す有価価値の残数を受け付ける残数受付手段と、前記残数受付手段にて残数を受け付けた後に記憶媒体を受け付けて受け付けた記憶媒体を分割先記憶媒体として特定する分割先記憶媒体特定手段と、前記分割元記憶媒体に対応付けられた有価価値から前記残数受付手段により受け付けた残数を減算処理した値を前記分割先記憶媒体特定手段にて特定された分割先記憶媒体に対応付けられた有価価値に対して加算処理するとともに、前記分割元記憶媒体特定手段にて特定された分割元記憶媒体に対して前記残数受付手段により受け付けた残数を対応付けて、前記分割元記憶媒体に対応付けられた有価価値の分割処理を行う分割処理手段とを備えたことを特徴とする。
【発明の効果】
【００２２】
本発明によれば、所定の記憶媒体に対応付けられて遊技台での遊技に用いられる遊技媒体に変換可能な有価価値を景品に交換する処理を行う景品管理装置を有する景品交換システムであって、前記景品管理装置は、受け付けた記憶媒体から取得した情報に基づいて前記有価価値を特定する有価価値特定手段と、前記有価価値特定手段にて特定した有価価値を用いて景品交換処理を行う景品交換処理手段と、所定の有価価値分割操作を受け付ける分割操作受付手段と、前記分割操作受付手段により前記有価価値分割操作を受け付けた後に記憶媒体を受け付けて受け付けた記憶媒体を分割元記憶媒体として特定する分割元記憶媒体特定手段と、前記分割元記憶媒体に対応付けられた有価価値のうち分割先記憶媒体に対して分割する有価価値の分割数を受け付ける分割数受付手段と、前記分割数受付手段にて分割数を受け付けた後に記憶媒体を受け付けて受け付けた記憶媒体を分割先記憶媒体として特定する分割先記憶媒体特定手段と、前記分割数受付手段により受け付けた分割数を前記分割元記憶媒体特定手段にて特定された分割元記憶媒体に対応付けられた有価価値から減算処理するとともに、前記分割数受付手段により受け付けた分割数を前記分割先記憶媒体特定手段にて特定された分割先記憶媒体に対応付けられた有価価値に対して加算処理して、前記分割元記憶媒体に対応付けられた有価価値の分割処理を行う分割処理手段とを備えるよう構成したので、台間カード処理機の場合と異なり、種別の異なる各種記憶媒体に対応付けられた有価価値を柔軟かつ効率良く分割処理することができる。特に、事前に有価価値が対応付けられている記憶媒体に関しても分割先記憶媒体として取り扱うことができ、有価価値の共有に関する遊技客のニーズに対応することが可能となる。
【００２３】
また、本発明によれば、分割元記憶媒体及び分割先記憶媒体は、遊技店に会員登録された会員に対して発行された会員用記憶媒体、一般用記憶媒体又はワゴンサービスを提供する際に利用されるサービス用記憶媒体のいずれかとなるよう構成したので、台間カード処理機で分割処理を行う場合のような制約がなくなり、様々な記憶媒体を用いた分割処理と言う遊技客のニーズに対応することができる。特に、ワゴンカードのようなサービス用記憶媒体を分割対象とすることにより、有価価値を取り過ぎた場合の返却を容易に行うことができる。
【００２４】
また、本発明によれば、景品管理装置を操作する操作者である店員向けの店側表示手段を設け、分割数の入力画面を店側表示手段に表示制御するよう構成したので、遊技店の顧客サービスとして店員が有価価値の分割操作を行うことができる。
【００２５】
また、本発明によれば、景品交換を行う遊技客向けの客側表示手段を設け、会員用記憶媒体を分割元記憶媒体又は分割先記憶媒体として用いる場合の暗証番号入力画面を客側表示手段に表示制御するよう構成したので、会員用記憶媒体を分割元記憶媒体又は分割先記憶媒体として利用することができる。
【００２６】
また、本発明によれば、景品管理装置を操作する操作者の識別情報に、少なくとも分割処理の対象となる分割元記憶媒体の識別情報及び分割先記憶媒体の識別情報を対応付けた分割履歴情報を管理するよう構成したので、店員による誤った分割操作又は不正な分割操作が行われたか否かを検証することができる。
【００２７】
また、本発明によれば、景品管理装置を操作する操作者ごとに有価価値の分割数の上限値を管理しておき、操作者により入力された分割数が当該操作者に対応する分割数の上限値以下である場合に、入力された有価価値の分割数を受け付けるよう構成したので、店員による多量分割操作と言う不正行為を未然に防止することができる。
【００２８】
また、本発明によれば、遊技店内に配設された遊技機が複数のグループに区分され、同一グループに属する遊技機間でのみ台移動が許容され、分割元記憶媒体に対応付けられた有価価値の分割処理を行う場合に、分割元記憶媒体に対応付けられた有価価値と同一の利用可能グループを分割先記憶媒体に設定するよう構成したので、グループ内での台移動が許容される運用に有価価値の分割処理を適合させることができる。
【００２９】
また、本発明によれば、遊技店内に配設された遊技台の台移動が禁止されている場合には、分割元記憶媒体に対応付けられた有価価値の分割処理を行わないこととしたので、意味のない分割処理を抑制することができる。
【００３０】
また、本発明によれば、分割元記憶媒体がサービス用記憶媒体である場合には、分割元記憶媒体に対応付けられた有価価値の分割処理を許容することとしたので、台移動に制限が設けられている場合であっても、台移動と無関係なサービスに用いるサービス用記憶媒体の分割処理を実施することができる。
【００３１】
また、本発明によれば、分割処理結果を分割元記憶媒体又は分割先記憶媒体に対応付けられない場合には、分割処理結果を印字したレシートを発行するよう構成したので、有価価値の分割処理の途中で障害等が発生した場合であっても、レシートに印字した分割処理結果を再度読み込むことで分割処理を完遂することができる。
【００３２】
また、本発明によれば、所定の記憶媒体に対応付けられて遊技台での遊技に用いられる遊技媒体に変換可能な有価価値を景品に交換する処理を行う景品管理装置を有する景品交換システムであって、前記景品管理装置は、受け付けた記憶媒体から取得した情報に基づいて前記有価価値を特定する有価価値特定手段と、前記有価価値特定手段にて特定した有価価値を用いて景品交換処理を行う景品交換処理手段と、所定の有価価値分割操作を受け付ける分割操作受付手段と、前記分割操作受付手段により前記有価価値分割操作を受け付けた後に記憶媒体を受け付けて受け付けた記憶媒体を分割元記憶媒体として特定する分割元記憶媒体特定手段と、前記分割元記憶媒体に対応付けられた有価価値のうち分割処理後に分割元記憶媒体に残す有価価値の残数を受け付ける残数受付手段と、前記残数受付手段にて残数を受け付けた後に記憶媒体を受け付けて受け付けた記憶媒体を分割先記憶媒体として特定する分割先記憶媒体特定手段と、前記分割元記憶媒体に対応付けられた有価価値から前記残数受付手段により受け付けた残数を減算処理した値を前記分割先記憶媒体特定手段にて特定された分割先記憶媒体に対応付けられた有価価値に対して加算処理するとともに、前記分割元記憶媒体特定手段にて特定された分割元記憶媒体に対して前記残数受付手段により受け付けた残数を対応付けて、前記分割元記憶媒体に対応付けられた有価価値の分割処理を行う分割処理手段とを備えるよう構成したので、台間カード処理機の場合と異なり、種別の異なる各種記憶媒体に対応付けられた有価価値を柔軟かつ効率良く分割処理することができる。特に、事前に有価価値が対応付けられている記憶媒体に関しても分割先記憶媒体として取り扱うことができ、有価価値の共有に関する遊技客のニーズに対応することが可能となる。
【図面の簡単な説明】
【００３３】
【図１】図１は、本実施例に係る遊技媒体処理システムのシステム構成を示す図である。
【図２】図２は、図１に示した景品管理装置及びリーダライタの外観構成を示す図である。
【図３】図３は、図２に示した客側表示部の表示の一例を示す図である。
【図４】図４は、図１に示した景品管理装置の内部構成を示す図である。
【図５】図５は、図３に示した操作者管理テーブル及び運用制限テーブルの一例を示す図である。
【図６】図６は、図４に示した景品管理装置による持玉分割処理手順を示すフローチャートである。
【図７】図７は、持玉分割時の表示画面の一例（１）を示す図である。
【図８】図８は、持玉分割時の表示画面の一例（２）を示す図である。
【図９】図９は、持玉分割時の表示画面の一例（３）を示す図である。
【図１０】図１０は、持玉分割時の表示画面の一例（４）を示す図である。
【図１１】図１１は、持玉分割時に出力するレシートの一例を示す図である。
【図１２】図１２は、持玉分割リストを示すレシートの一例を示す図である。
【発明を実施するための形態】
【００３４】
以下に、添付図面を参照して、本発明に係る景品交換システムの好適な実施例を詳細に説明する。以下では、記憶媒体がカードであり、このカードに関連付けられる持玉を分割対象とする場合を中心に説明することとする。
【実施例】
【００３５】
まず、本実施例に係る遊技媒体処理システムのシステム構成について説明する。図１は、本実施例に係る遊技媒体処理システムのシステム構成を示す図である。本発明に係る景品交換システムは、この遊技媒体処理システムに含まれる。同図に示すように、この遊技媒体処理システムでは、複数の遊技機２０と、各遊技機２０にそれぞれ対応して設けられた台間カード処理機１０と、カード管理装置４０と、会員管理装置５０と、景品管理装置６０と、島端計数機８０と、精算機９０とが通信回線１００を介して接続されている。なお、複数の遊技機２０及び台間カード処理機１０は、島コントローラ３０を介して通信回線１００に接続されて遊技島を形成する。また、景品管理装置６０にはリーダライタ７０が接続されて景品カウンターに設置される。
【００３６】
遊技機２０は、パチンコ玉を遊技領域に打ち込んで遊技客がパチンコ遊技を行うパチンコ機等の装置である。台間カード処理機１０は、遊技機２０に対する玉貸し処理、遊技機２０で獲得したパチンコ玉の計数処理、計数したパチンコ玉を持玉として再投出する処理、貯玉の再プレイ処理などを行う装置である。
【００３７】
この台間カード処理機１０には、遊技客が獲得した玉数を計数する各台計数機が設けられている。この各台計数機で計数された玉数は、持玉数として台間カード処理機１０内部のメモリに記憶される。遊技客が所定の持玉払出操作を行うと、この持玉数から所定数が減算処理されるとともに、所定数の玉がノズルを介して遊技機２０の上皿に投出される。
【００３８】
また、遊技客が、所定のカード返却操作を行うと、台間カード処理機１０内部のメモリに記憶した持玉数がカードに記憶されるとともに、該カードのカードＩＤ、持玉数及び当該台間カード処理機１０が属するグループ情報がカード管理装置４０に通知され、その後にカードが排出される。このため、遊技客は、このカードを他の遊技機２０に併設された台間カード処理機１０に挿入して持玉払出操作を行うことで、他の遊技機で遊技を行うことができる。また、現金で遊技を開始する遊技客のために、台間カード処理機１０には予め複数枚の一般カードが収納されている。
【００３９】
なお、遊技店内に配設された遊技機２０及び台間カード処理機１０が複数のグループにグループ分けされ、遊技客による持玉を用いた台移動がグループ内でのみ許可される運用がなされる場合がある。この場合には、台移動を行う前の台間カード処理機１０の識別情報と台移動後の台間カード処理機１０の識別情報が同一のグループに属する場合にのみ、台移動後の持玉払出操作が有効となる。具体的には、台移動を行う前の台間カード処理機１０からカードを排出処理する時点で持玉数とともにグループ情報が該カードに書き込まれ、カードＩＤ、持玉数及びグループ情報がカード管理装置４０に送信される。その後、このカードが台移動後の台間カード処理機１０に挿入されたならば、台間カード処理機１０がこのカードのカードＩＤに対応する持玉数及びグループ情報をカード管理装置４０に問い合わせ、同一グループに属する場合にはカード管理装置４０から台間カード処理機１０に持玉数が通知されることになる。なお、グループが異なる場合には、台間カード処理機１０に持玉数は通知されず、台間カード処理機１０の表示部にエラー表示がなされる。
【００４０】
島コントローラ３０は、遊技島に設けられた一群の遊技機２０及び台間カード処理機１０を束ねる中継装置である。カード管理装置４０は、カードのプリペイド価値及び持玉数等をカード情報として管理する管理装置である。このカード情報は、プリペイド価値、持玉数及びグループ情報がカードＩＤに対応付けられた情報である。
【００４１】
カード管理装置４０は、台間カード処理機１０からカードＩＤ、持玉数及びグループ情報を受信したならばカード情報を更新し、台間カード処理機１０からカードＩＤを受信したならば、該カードＩＤのグループ情報と台移動後の台間カード処理機１０のグループ情報が一致するか否かを確認し、グループ情報が一致する場合には、該カードＩＤに対応する持玉数を台間カード処理機１０に通知する。
【００４２】
また、カード管理装置４０は、景品管理装置６０からカードＩＤを受信したならば、このカードＩＤに対応する持玉数及びグループ情報を景品管理装置６０に対して通知する。さらに、精算機９０からカードＩＤを受信したならば、このカードＩＤに対応するプリペイド価値を精算機９０に対して通知する。
【００４３】
会員管理装置５０は、遊技店に会員登録された会員の会員データを管理する管理装置である。具体的には、会員に対して発行した会員カードＩＤに対応づけて、会員の氏名及び住所等の会員データ並びに貯玉データ等を管理する。なお、本実施例では貯玉の分割処理についての説明を省略するが、持玉分割処理と同様に行うことができる。
【００４４】
景品管理装置６０は、遊技店内の景品交換カウンターに併設された景品交換用の端末装置であり、貯玉及び持玉の景品交換処理を行う。この景品管理装置６０には、リーダライタ７０が接続されている。なお、かかる景品管理装置６０には、特殊景品を払い出す景品払出装置が接続されるが、ここでは説明の便宜上景品払出装置についての説明を省略する。
【００４５】
また、この景品管理装置６０は、分割元カードに対応付けられた持玉数の一部を分割先カードに対応付ける持玉分割処理を行う。遊技客が、持玉が対応付けられた分割元カードを景品交換カウンターに持ち込むと、この分割元カードを受け取った店員が、景品管理装置６０上で所定の持玉分割操作を行うことで、分割元カードに対応付けられた持玉数の一部を分割先カードに分割処理する。
【００４６】
ここで、この景品管理装置６０での持玉分割時に利用される分割元カード及び分割先カードは、会員カード、一般カード及びワゴンカードのいずれであっても良い。会員カードから会員カードへの持玉分割、一般カードから会員カードへの持玉分割、ワゴンカードから一般カードへの持玉分割等、様々なニーズに応じた持玉分割を行うことができる。従来の台間カード処理機１０の持玉分割処理では、分割先カードが一般カードのみに制限されていたが、本実施例に係る景品管理装置６０では、様々なカードを分割元カード及び分割先カードとすることができる。
【００４７】
また、この景品管理装置６０での持玉分割時に利用される分割先カードは、あらかじめ持玉数が対応付けられていても良い。従来の台間カード処理機１０の持玉分割処理では、持玉数が対応付けられていない一般カードのみに分割先カードが制限されていたが、本実施例に係る景品管理装置６０では、事前に持玉数が対応付けられているカードを分割先カードとすることができる。
【００４８】
また、この景品管理装置６０によれば、持玉分割操作を実行可能な店員（店員ＩＤ）を事前に登録し、登録された店員しか同操作を行えなくなっている。そして、持玉分割操作を行った店員毎の持玉分割結果の履歴を確認することができる。さらに、操作者である店員毎の持玉分割の上限値を設定し、大量の持玉分割処理に制限を課することで店員による不正行為を防止できる。また、遊技店内での台移動が禁止されている場合には、持玉分割処理を禁止することもできる。さらに、遊技店内に配設された複数の遊技機２０及び台間カード処理機１０を複数のグループに区分し、グループ内の台移動のみが許容されている場合には、分割元カードに対応付けられたグループ情報を分割先カードが受け継ぎ、同一グループ内でのみ持玉共有を行わせることにより、店内の運用ルールを維持したまま持玉分割を実行できる。なお、ワゴンカードについては台移動と無関係であるため、常に持玉分割を行うことができる。
【００４９】
また、この景品管理装置６０によれば、持玉分割処理の途中でリーダライタ７０等に障害が発生し、持玉分割結果を分割元カード又は分割先カードに対応付けられない場合に、持玉分割結果をレシート発行することもできる。別の景品管理装置にてかかるレシートを読み取ることで、持玉分割結果を分割元カード又は分割先カードに対応付け、持玉分割結果を反映させることが可能となる。
【００５０】
島端計数機８０は、遊技島端等に設けられ、遊技客が獲得した玉数を計数し、計数値をカードに関連付けるか、レシートへ印字して発行する。精算機９０は、プリペイド価値が対応付けられたカードが挿入されると、このカードのカードＩＤをカード管理装置４０に送信し、該カードに対応するプリペイド価値を取得し、取得したプリペイド価値に相当する現金の払出を行う。
【００５１】
次に、図１に示した景品管理装置６０及びリーダライタ７０の外観構成を示す図である。図２は、図１に示した景品管理装置６０及びリーダライタ７０の外観構成を示す図である。同図（ａ）には正面上方から見た景品管理装置６０の斜視図を示し、同図（ｂ）には景品管理装置６０及びリーダライタ７０の背面図を示している。
【００５２】
図２（ａ）に示すように、景品管理装置６０の前面には、店側表示部６１、操作部６２、レシート発行部６３及びバーコードリーダ６７が設けられている。ここでは、説明の便宜上図示省略したが、電源スイッチやメモリカード差込口なども設けられる。
【００５３】
店側表示部６１は、操作者である遊技店の店員用の表示部であり、タッチパネルカラー液晶ディスプレイ等からなる。この店側表示部６１には、景品交換内容や操作ガイダンスなどが表示される。操作部６２は、テンキー、専用キー及びモードキー等の複数のキーからなり、景品交換操作入力及び持玉分割操作入力に使用される。レシート発行部６３は、登録リスト及び集計リスト等の各種レシートを発行処理する発行部であり、感熱式プリンタ等からなる。バーコードリーダ６７は、レシートに印字されたバーコードを読み取って、情報内容を特定する。
【００５４】
図２（ｂ）に示すように、景品管理装置６０の背面には、遊技客用の客側表示部６４が設けられている。この客側表示部６４は、蛍光表示管やタッチパネルカラー液晶ディスプレイ等からなる。例えば、この客側表示部６４を蛍光表示管で形成し、持玉分割処理を行う場合には、図３に示すように「現在玉数」及び「分割玉数」等を表示することができる。遊技客は、この客側表示部６４の表示内容を確認することにより、カードに対応付けられる現在玉数や分割玉数を把握することができる。
【００５５】
また、この景品管理装置６０にはリーダライタ７０が接続されており、このリーダライタ７０には、表示操作部７１、かざし部７２、カード挿入口７３及び扉カギ７４が設けられている。表示操作部７１は、タッチパネルカラー液晶ディスプレイ等からなり、カードの読み取り状況等が表示される。なお、会員カードの場合には、この表示操作部７１を用いて暗証番号が入力される。
【００５６】
かざし部７２は、非接触ＩＣカード又はいわゆるおサイフ携帯電話機との間で非接触でデータの授受を行うためのかざし部であり、カード挿入口７３は、会員カード、一般カード及びワゴンカードを挿入する挿入口である。なお、本実施例では、説明の便宜上、このカード挿入口７３にカードを挿入する場合について説明するが、かざし部７２を介して非接触でデータ授受を行う場合に適用することもできる。
【００５７】
なお、遊技客は、景品管理装置６０の背面に存在する客側表示部６４を確認しつつ、必要に応じてリーダライタ７０にカードを挿入するとともに、リーダライタ７０を用いて暗証番号入力を行うことになる。ただし、持玉分割操作については、遊技店の店員が実施するため、遊技客が操作を行う必要はない。
【００５８】
次に、図１に示した景品管理装置６０の内部構成について説明する。図４は、図１に示した景品管理装置６０の内部構成を示す図である。同図に示すように、この景品管理装置６０は、リーダライタ７０に接続されている。
【００５９】
景品管理装置６０は、すでに説明した店側表示部６１、操作部６２、レシート発行部６３及び客側表示部６４と、記憶部６５と、制御部６６とを有する。記憶部６５は、フラッシュメモリ又はハードディスク装置等からなる記憶デバイスであり、操作者管理テーブル６５ａ、運用制限テーブル６５ｂ及びログデータ６５ｃを記憶する。なお、ここでは説明の便宜上、本実施例に係る持玉分割処理と関連しない景品管理データ等については図示省略している。
【００６０】
操作者管理テーブル６５ａは、景品管理装置６０を操作する店員の店員ＩＤと、該店員を認証するための暗証番号と、持玉分割操作を行う際の分割入力上限値とを対応付けて記憶するテーブルである。図５（ａ）は、操作者管理テーブル６５ａの一例を示す図である。ここでは、店員ＩＤ「３００１」の店員について、暗証番号が「１２３４」、分割入力上限値が「５０００玉」であり、店員ＩＤ「３００２」の店員について、暗証番号が「５６７８」、分割入力上限値が「１００００玉」である状況を示している。分割入力上限値は、権限を有する管理者が、各店員の職位や信頼度に基づいて、予め設定入力しておくものとする。
【００６１】
運用制限テーブル６５ｂは、遊技客による遊技機２０の台移動の運用制限に関する情報を記憶するテーブルである。図５（ｂ）は、運用制限テーブル６５ｂの一例を示す図である。ここでは、台移動「不可」、グループ内台移動「可」、レート間台移動「不可」となる状況を示している。すなわち、ここでは台移動の無条件移動は認められないものの、同一のグループに属する遊技機２０の台移動は可能であり、また貸出レートの異なる台移動も認められない状況を示している。
【００６２】
ログデータ６５ｃは、景品管理装置６０の操作員である店員による操作履歴を蓄積したログデータである。具体的には、店員の店員ＩＤごとに持玉分割処理結果を蓄積する。このため、かかるログデータ６５ｃを参照すれば、店員ごとの持玉分割処理結果を抽出することができ、店員による不正な持玉分割処理がなされたか否か等を容易に把握することが可能となる。
【００６３】
制御部６６は、景品管理装置６０を全体制御する制御部であり、景品管理部６６ａ、会員サービス処理部６６ｂ、認証処理部６６ｃ、持玉分割処理部６６ｄ、履歴データ表示制御部６６ｅ及び設定処理部６６ｆを有する。
【００６４】
景品管理部６６ａは、図示しない景品管理データを用いて景品管理装置６０の取扱対象となる景品種別並びにその在庫状況等を管理する管理部であり、会員サービス処理部６６ｂは、会員登録処理並びに図示しない会員データを用いて会員データを管理する管理部である。
【００６５】
認証処理部６６ｃは、景品管理装置６０の操作者が正当な店員であるか否かを認証する処理部である。具体的には、操作者により入力された店員ＩＤ及び暗証番号と操作者管理テーブル６５ａに記憶する店員ＩＤ及び暗証番号が一致すれば、正当な操作者であると判定することになる。
【００６６】
持玉分割処理部６６ｄは、分割元カードに対応付けられた持玉数の一部を分割先カードに対応付ける持玉分割処理を行う処理部である。この持玉分割処理部６６ｄは、分割元カード及び分割先カードが、会員カード、一般カード及びワゴンカードのいずれであっても持玉分割処理を行うことができる。また、分割先カードが、あらかじめ持玉数が対応付けられている場合であっても持玉分割処理を行うことができる。
【００６７】
また、持玉分割処理部６６ｄは、操作者管理テーブル６５ａで管理される分割入力上限値を超える持玉分割操作がなされた場合には、該持玉分割操作を無効にする。さらに、運用制限テーブル６５ｂで台移動が禁止されている場合には、持玉分割処理を禁止する。
【００６８】
また、持玉分割処理部６６ｄは、運用制限テーブル６５ｂでグループ内台移動が許可されている場合には、分割元カードに対応付けられたグループ情報を分割先カードのグループ情報として対応付ける。ただし、ワゴンカードについては台移動と無関係であるため、常に持玉分割を可能とする。
【００６９】
また、持玉分割処理部６６ｄは、持玉分割処理の途中でリーダライタ７０等に障害が発生し、持玉分割結果を分割元カード又は分割先カードに対応付けられない場合には、持玉分割結果をレシート発行するようレシート発行部６３に対して指示する。レシートには、失敗した分割処理に関する情報が視認可能に印字されるとともに、同様の情報が機械読み取り可能にバーコードとして印字される。なお、持玉分割処理部６６ｄは、持玉分割処理を終えたならば、持玉分割処理結果を店員ＩＤに対応付けてログデータ６５ｃに蓄積する。
【００７０】
履歴データ表示制御部６６ｅは、店員による持玉分割処理結果を店側表示部６１に表示制御する制御部である。具体的には、店員の店員ＩＤが入力されたならば、この店員ＩＤに対応する持玉分割処理結果をログデータ６５ｃから検索し、検索された持玉分割処理結果を店側表示部６１に表示制御することになる。これにより、店員による持玉分割処理結果を一目で把握することが可能となる。
【００７１】
設定処理部６６ｆは、店員の店員ＩＤ、店員の分割入力上限値、台移動・グループ内台移動・レート間台移動の可・不可等を設定する処理部である。景品管理装置６０の操作部６２を用いて所定の設定操作がなされると、店側表示部６１に設定画面が表示され、この設定画面上で店員の店員ＩＤ、店員の分割入力上限値、台移動・グループ内台移動・レート間台移動の可・不可等が設定されると、設定内容が操作者管理テーブル６５ａ及び運用制限テーブル６５ｂ等に設定される。
【００７２】
次に、図４に示した景品管理装置６０による持玉分割処理手順について説明する。図６は、図３に示した景品管理装置６０による持玉分割処理手順を示すフローチャートであり、図７〜図１１は、持玉分割時の表示画面の一例を示す図である。
【００７３】
持玉分割処理したいカードが景品カウンターに持ち込まれると、まず、店員は、景品管理装置６０の操作部６２を用いて所定の持玉分割操作を行う。具体的には、図７（ａ）に示すように店側表示部６１に「待機中」の表示が行われる状態で所定の専用キー（操作部６２或いは店側表示部６１中に設定される）が押下操作されると、図７（ｂ）に示す選択画面が店側表示部６１に表示される。ここで、テンキーを用いて「２．持玉分割」が選択されると、図７（ｃ）に示す暗証番号の入力画面が店側表示部６１に表示される。
【００７４】
ここで、店員がテンキーを用いて暗証番号を入力すると認証処理が実行される（ステップＳ１０１）。具体的には、入力された暗証番号が操作者管理テーブル６５ａに登録されている場合には、認証処理が成功であると判定される。その結果、認証が失敗した場合には（ステップＳ１０２：Ｎｏ）、店側表示部６１に所定のエラー表示を行って処理を終了する。なお、持玉分割処理の実行を許可されていない店員の場合は、暗証番号の入力画面に移行することなく拒否される。
【００７５】
これに対して、暗証番号が正しく入力され認証処理が成功した場合には（ステップＳ１０２：Ｙｅｓ）、リーダライタ７０により持玉数Ａが対応付けられた分割元カードを受け入れる（ステップＳ１０３）。具体的には、図８（ａ）に示す分割元入力画面を表示し、一般カードが挿入された場合には、図８（ｃ）に示す分割元カードの状況を表示する。同様に、ワゴンカードが挿入された場合も図８（ｃ）に示す分割元カードの状況を表示する。一方、会員カードが挿入された場合には、図８（ｂ）に示す暗証番号入力画面を表示し、リーダライタ７０により暗証番号が入力されたならば、図８（ｃ）に示す分割元カードの状況を表示する。
【００７６】
そして、図９（ａ）に示すように分割数Ｂを受け付けると（ステップＳ１０４）、分割元カードの持玉数Ａから分割数Ｂを減算処理した値を分割元カードの新たな持玉数として対応付けた後に（ステップＳ１０５）、分割元カードを排出し（ステップＳ１０６）、図９（ｂ）に示すように分割先カードの挿入を促す。分割数の受付は、遊技客（或いはワゴンサービスの販売員）の依頼を受けた店員が、景品管理装置６０の操作部６２を用いて入力するが、カードリーダ７０の表示操作部７１を用いて遊技客自身が入力するようにしてもよい。
【００７７】
そして、持玉数Ｃが対応付けられた分割先カードを受け付けたならば（ステップＳ１０７）、図９（ｃ）に示すように分割先カードの持玉数Ｃに分割数Ｂを加算処理した値を分割先カードの新たな持玉数として対応付ける（ステップＳ１０８）。ここでは、分割数Ｂが「３００玉」であり、カード挿入時点での分割先カードの持玉数Ｃが「５００玉」であるため、分割先カードの新たな持玉数が「８００玉」となった状況を示している。
【００７８】
ところで、持玉分割処理途中でリーダライタ７０に障害が発生し、分割元カード又は分割先カードに新たな更新情報を書き込めない場合には、図１０に示すように持玉分割処理を失敗した旨を表示する。そして、レシート発行を促し、図１１に示した持玉分割入力リストのレシートを発行する。このレシートは、島端計数機８０から発行される計数レシートと同様のものであり、玉数が対応付けられており、景品又は玉に交換できる。図１１には、レシートの連番「０００２」、号機「２３１」、遊技媒体の種別を示す「玉１」、計数された玉数を示す「２０００個」、計数された玉数を最小の特殊景品で割った値を示す「８４個」、計数された玉数を最小の特殊景品で割った余りを示す「余り２８個」、レシートの印字を開始した年月日及び時間を示す「２０００年０９月０８日  １６時５２分」及び玉数を記録したバーコードが印字されたレシートの一例を示している。このようにしてレシートが発行された場合には、このレシートを他の景品管理装置６０で読み取ってカードに対応付けることにより、分割処理結果を反映させることが可能となる。
【００７９】
なお、図７（ｂ）に示した選択画面上で「３．持玉分割リスト」が選択され、店員ＩＤが入力された場合には、この店員ＩＤに対応する持玉分割処理結果をログデータ６５ｃから検索して、店側表示部６１に表示することができる。また、図１２に示すように、かかる店員ＩＤに対応する分割処理結果をレシート発行することもできる。
【００８０】
上述してきたように、本実施例では、景品管理装置６０の持玉分割処理部６６ｄが、分割元カード及び分割先カードが、会員カード、一般カード及びワゴンカードのいずれであっても、また分割先カードが、あらかじめ持玉数が対応付けられている場合であっても、分割元カードに対応付けられた持玉数の一部を分割先カードに対応付ける持玉分割処理を行うよう構成したので、種別の異なる各種カードに対応付けられた持玉数を柔軟かつ効率良く分割処理することができる。特に、事前に持玉数が対応付けられているカードに関しても分割先カードとして取り扱うことができ、持玉共有に関する遊技客のニーズに対応することが可能となる。特に、ワゴンカードについても分割対象としたので、持玉数を取り過ぎた場合の返却を容易に行うことができる。また、景品管理装置８０が設置される景品カウンターには常に店員がいるため、遊技客を待たせる可能性が低いうえ、店員が分割処理を行うので、遊技客自身が操作する場合に比べて操作ミスが少なくてすむ。
【００８１】
また、景品管理装置６０を操作する店員向けの店側表示部６１を設け、分割数の入力画面を店側表示部６１に表示制御するよう構成したので、遊技店の顧客サービスとして店員が持玉分割操作を行うことができる。さらに、景品交換を行う遊技客向けの客側表示部６４を設け、会員カードを分割元記憶媒体又は分割先記憶媒体として用いる場合の暗証番号入力画面を客側表示部６４に表示制御するよう構成したので、会員カードを分割元記憶媒体又は分割先記憶媒体として利用することができる。
【００８２】
また、景品管理装置６０を操作する店員ＩＤに対応付けて持玉分割処理結果を管理するよう構成したので、店員による誤った分割操作又は不正な分割操作が行われたか否かを検証することができる。さらに、景品管理装置６０を操作する操作者ごとに分割入力上限値を管理しておき、店員により入力された分割数が当該操作者に対応する分割入力上限値以下である場合に、入力された持玉分割操作を受け付けるよう構成したので、店員による多量の分割操作と言う不正行為を未然に防止することができる。
【００８３】
また、遊技店内に配設された遊技機が複数のグループに区分され、同一グループに属する遊技機間でのみ台移動が許容され、分割元カードに対応付けられた持玉の持玉分割処理を行う場合に、分割元カードに対応付けられた持玉と同一の利用可能グループを分割先カードに設定するよう構成したので、グループ内での台移動が許容される運用に持玉分割処理を適合させることができる。
【００８４】
また、遊技店内に配設された遊技台の台移動が禁止されている場合には、分割元カードに対応付けられた持玉の持玉分割処理を行わないこととしたので、意味のない分割処理を抑制することができる。さらに、分割元カードがワゴンカードである場合には、分割元カードに対応付けられた持玉の持玉分割処理を許容することとしたので、台移動に制限が設けられている場合であっても、台移動と無関係なサービスに用いるワゴンカードの持玉分割処理を実施することができる。
【００８５】
また、分割処理結果を分割元カード又は分割先カードに対応付けられない場合には、分割処理結果を印字したレシートを発行するよう構成したので、持玉分割処理の途中で障害等が発生した場合であっても、レシートに印字した持玉分割処理結果を他の景品管理装置６０で読み込むことで分割処理を完遂することができる。
【００８６】
なお、本実施例では、持玉を分割処理対象とした場合を示したが、本発明はこれに限定されるものではなく、貯玉やプリペイド価値等の有価価値を分割処理対象とする場合に適用することもできる。また、本実施例では、カード管理装置４０と会員管理装置５０を別装置とした場合を示したが、本発明はこれに限定されるものではなく、カード管理装置４０と会員管理装置５０を一体化した場合に適用することもできる。
【００８７】
また、本実施例では、１台のリーダライタ７０により会員カード、一般カード及びワゴンカードのデータを読み書きする場合を示したが、本発明はこれに限定されるものではなく、カード種別に応じて別体のリーダライタを設けるよう構成することもできる。さらに、本実施例では、リーダライタ７０のカード挿入口７３にカードを挿入する場合を示したが、本発明はこれに限定されるものではなく、かざし部７２を介してカード又は携帯電話との間で持玉数を授受する場合に適用することもできる。なお、リーダライタ７０の機能を景品管理装置６０に持たせても良いし、逆に、景品管理装置６０側で行う機能の一部をリーダライタ７０側に設けても良い。
【００８８】
また、分割数を入力する際に、テンキーによる数値入力で分割数を入力するのではなく、分割元カードの持玉を最大（ＭＡＸ）とする複数の選択ボタンを表示し、いずれかの選択ボタンを押下操作するようにしても良い。このようにすれば、入力ミスが生じにくい。
【００８９】
また、分割数を入力するのではなく、分割処理によって分割元カードに残したい残数を入力し、分割元カードの持玉数から残数を減算処理した値を分割先カードに加算処理するとともに、入力された残数を分割元カードに対応付けるよう構成することもできる。これにより、遊技客の様々なニーズに応えることができる。
【００９０】
また、カードに対応付けられたプリペイド価値を分割することもできる。さらに、持玉を払い出す際に、遊技機２０の玉投出機構から払い出すことにより、台間カード処理機１０の玉投出機構（内部機構からノズルまで）を省略でき、コストダウンや遊技機２０の扉解放時に障害にならない。
【００９１】
また、カードに対応付けられる持玉データやプリペイド価値を、カード自体に記録するシステムに適用しても良い。カード管理装置４０の機能負担を抑えることができ、カード管理装置４０や島コントローラ３０等の故障時（オフライン運用時）にも営業を継続できる。
【００９２】
また、台移動・グループ内台移動・レート間台移動の可、不可等の各種設定内容は、カード管理装置４０等の上位装置で設定するようにしても良い。景品管理装置６０は、開店処理時にカード管理装置４０から設定内容を取り込んだり、必要時に問い合わせることになる。
【産業上の利用可能性】
【００９３】
以上のように、本発明に係る景品交換システムは、種別の異なる各種記憶媒体に対応付けられた有価価値を効率良く分割処理する場合に適している。
【符号の説明】
【００９４】
１０    台間カード処理機
２０    遊技機
３０    島コントローラ
４０    カード管理装置
５０    会員管理装置
６０    景品管理装置
６１    店側表示部
６２    操作部
６３    レシート発行部
６４    客側表示部
６５    記憶部
６５ａ    操作者管理テーブル
６５ｂ    運用制限テーブル
６５ｃ    ログデータ
６６    制御部
６６ａ    景品管理部
６６ｂ    会員サービス処理部
６６ｃ    認証処理部
６６ｄ    持玉分割処理部
６６ｅ    履歴データ表示制御部
６６ｆ    設定処理部
７０    リーダライタ
７１    表示操作部
７２    かざし部
７３    カード挿入口
７４    扉カギ
８０    島端計数機
９０    精算機
１００    通信回線
【図１】
0005657347.tif 000002
【図２】
0005657347.tif 000003
【図３】
0005657347.tif 000004
【図４】
0005657347.tif 000005
【図５】
0005657347.tif 000006
【図６】
0005657347.tif 000007
【図７】
0005657347.tif 000008
【図８】
0005657347.tif 000009
【図９】
0005657347.tif 000010
【図１０】
0005657347.tif 000011
【図１１】
0005657347.tif 000012
【図１２】
0005657347.tif 000013